【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
映像光源から投写された映像光を透過させて結像させる背面投写型スクリーンであって、
透明材料から成り少なくとも一方の面に微細形状のレンズが形成された２つのシート状部材がそれぞれのレンズが形成された面が互いに対向するように配置され、
映像光を透過させて結像させるための領域である有効画面領域内の周辺部における上記２つのシート状部材の互いに対向したレンズの間に複数のスペーサ部材を適宜な間隔で配置した
ことを特徴とする背面投写型スクリーン。
【請求項２】
上記２つのシート状部材が、少なくとも一方の面にレンチキュラーレンズが形成されたレンチキュラーレンズシートと、一方の面にフレネルレンズが形成されたフレネルレンズシートとである
ことを特徴とする請求項１に記載の背面投写型スクリーン。
【請求項３】
上記２つのシート状部材が、一方の面に複眼レンズが形成された複眼レンズシートと、一方の面にフレネルレンズが形成されたフレネルレンズシートとである
ことを特徴とする請求項１に記載の背面投写型スクリーン。
【請求項４】
上記スペーサ部材は、２つのシート状部材のレンズの互いに対向したレンズ素子の頂点と頂点との間に位置するようにされた
ことを特徴とする請求項１に記載の背面投写型スクリーン。
【請求項５】
上記スペーサ部材は、一方のシート状部材のレンズと一体に形成された
ことを特徴とする請求項１に記載の背面投写型スクリーン。
【請求項６】
上記スペーサ部材は縦、横、高さが１ｍｍ以下の直方体領域の中に収まる大きさに形成された
ことを特徴とする請求項１に記載の背面投写型スクリーン。
【請求項７】
映像光源から出射された映像光を投写手段を介して拡大表示する背面投写型映像表示装置であって、
投写手段によって投写された映像光を透過させて結像させる背面投写型スクリーンを備え、
上記背面投写型スクリーンは、透明材料から成り少なくとも一方の面に微細形状のレンズが形成された２つのシート状部材をそれぞれのレンズが形成された面が互いに対向するように配置することによって構成され、
映像光を透過させて結像させるための領域である有効画面領域内の周辺部において上記２つのシート状部材の互いに対向したレンズの間に複数のスペーサ部材を適宜な間隔で配置した
ことを特徴とする背面投写型映像表示装置。
【請求項８】
上記２つのシート状部材が、少なくとも一方の面にレンチキュラーレンズが形成されたレンチキュラーレンズシートと、一方の面にフレネルレンズが形成されたフレネルレンズシートとである
ことを特徴とする請求項７に記載の背面投写型映像表示装置。
【請求項９】
上記２つのシート状部材が、一方の面に複眼レンズが形成された複眼レンズシートと、一方の面にフレネルレンズが形成されたフレネルレンズシートとである
ことを特徴とする請求項７に記載の背面投写型映像表示装置。
【請求項１０】
上記スペーサ部材は、２つのシート状部材のレンズの互いに対向したレンズ素子の頂点と頂点との間に位置するようにされた
ことを特徴とする請求項７に記載の背面投写型映像表示装置。
【請求項１１】
上記スペーサ部材は、一方のシート状部材のレンズと一体に形成された
ことを特徴とする請求項７に記載の背面投写型映像表示装置。
【請求項１２】
上記スペーサ部材は縦、横、高さが１ｍｍ以下の直方体領域の中に収まる大きさに形成された
ことを特徴とする請求項７に記載の背面投写型映像表示装置。
【手続補正２】
【補正対象書類名】明細書
【補正対象項目名】００１４
【補正方法】変更
【補正の内容】
【００１４】
また、レンチキュラーレンズｂとフレネルレンズｄのレンズ素子同士が変形する程強く接触していない場合であっても、例えば、輸送時など継続的に振動が印加される状況になった場合には、レンズ同士の接触によってレンズ表面が擦られて傷ができてしまい、この傷によって投写スクリーンａに表示される映像が２重や３重になってしまうこともあった。


【手続補正３】
【補正対象書類名】明細書
【補正対象項目名】００１９
【補正方法】変更
【補正の内容】
【００１９】
また、本発明背面投写型映像表示装置は、映像光源から出射された映像光を透過させて結像させる背面投写型スクリーンを備え、上記背面投写型スクリーンを透明材料から成り少なくとも一方の面に微細形状のレンズが形成された２つのシート状部材をそれぞれのレンズが形成された面が互いに対向するように配置することによって構成し、映像光を透過させて結像させるための領域である有効画面領域内における２つのシート状部材の互いに対向したレンズの間に複数のスペーサ部材を適宜な間隔で配置したものである。


【手続補正４】
【補正対象書類名】明細書
【補正対象項目名】００２０
【補正方法】変更
【補正の内容】
【００２０】
したがって、本発明背面投写型スクリーン及び背面投写型映像表示装置にあっては、シート状部材の対向するレンズの間に配置されたスペーサ部材によって有効画面領域内においてレンズ間が離間した状態に保たれる。


【手続補正５】
【補正対象書類名】明細書
【補正対象項目名】００２８
【補正方法】変更
【補正の内容】
【００２８】
投写スクリーン５は、キャビネット２の前面２ａ側から順に透明材料によって形成された２つのシート状部材であるレンチキュラーレンズシート７及びフレネルレンズシート８によって構成される。


【手続補正６】
【補正対象書類名】明細書
【補正対象項目名】００２９
【補正方法】変更
【補正の内容】
【００２９】
レンチキュラーレンズシート７は、図２に示すように、上記保護カバー６と後述するフレネルレンズシート８との間に位置する。レンチキュラーレンズシート７は、図３乃至図６に示すように、後面７ａに上下方向に延びる多数のシリンドリカルレンズ（レンズ素子）９ａ、９ａ、・・・によって構成されるレンチキュラーレンズ９を有するレンチキュラーレンズシートである。


【手続補正７】
【補正対象書類名】明細書
【補正対象項目名】００３３
【補正方法】変更
【補正の内容】
【００３３】
フレネルレンズシート８は、図３乃至図５及び図７に示すように、前面８ａに同心円状の輪帯（レンズ素子）１１ａ、１１ａ、・・・を有するフレネルレンズ１１が形成されたフレネルレンズシートである。また、後面８ｂはレンズなど何も形成されていない平面とされている。更に、フレネルレンズシート８のフレネルレンズ１１は、投写スクリーン５の四隅における輝度の低下を改善する効果も有する。


【手続補正８】
【補正対象書類名】明細書
【補正対象項目名】００４９
【補正方法】変更
【補正の内容】
【００４９】
したがって、レンチキュラーレンズシート７のレンチキュラーレンズ９とフレネルレンズシート８のフレネルレンズ１１との間が適宜の間隔で離れているため、これらの接触によってシリンドリカルレンズ９ａ、９ａ、・・・又は輪帯１１ａ、１１ａ、・・・が変形したり屈折面に傷が付いたりすることを回避することができる。なお、レンチキュラーレンズシート７に代えて複眼レンズシート１２を用いた場合であっても、上記と同様の効果が得られる。


【手続補正９】
【補正対象書類名】明細書
【補正対象項目名】００５１
【補正方法】変更
【補正の内容】
【００５１】
上記したように、スペーサ部材１４、１４、・・・はシート状部材であるレンチキュラーレンズシート７、フレネルレンズシート８又は複眼レンズシート１２と一体又は別体に合成樹脂で形成されるものであるので、スペーサ部材１４、１４、・・・を設けることによる投写スクリーン５のコスト上昇も極く僅かである。


【手続補正１０】
【補正対象書類名】明細書
【補正対象項目名】００５３
【補正方法】変更
【補正の内容】
【００５３】
【発明の効果】
以上に記載したところから明らかなように、本発明背面投写型スクリーンは、映像光源から投写された映像光を透過させて結像させる背面投写型スクリーンであって、透明材料から成り少なくとも一方の面に微細形状のレンズが形成された２つのシート状部材をそれぞれのレンズが形成された面が互いに対向するように配置し、映像光を透過させて結像させるための領域である有効画面領域内の周辺部における２つのシート状部材の互いに対向したレンズの間に複数のスペーサ部材を適宜な間隔で配置したことを特徴とする。


【手続補正１１】
【補正対象書類名】明細書
【補正対象項目名】００５４
【補正方法】変更
【補正の内容】
【００５４】
したがって、本発明背面投写型スクリーンにあっては、複数のスペーサ部材が２つのシート状部材の互いに対向したレンズの間に位置することによって、２つのシート状部材の互いに対向したレンズの間の間隔をスペーサ部材の大きさと略同じ間隔に保つことができるので、レンズ同士が接触することがなく、レンズ同士の接触による傷付きやレンズ素子の変形を防止して高画質な映像を得ることができる。また、スペーサ部材が有効画面領域内の周辺部に配置されているので、スペーサ部材の存在をより目立たなくすることができる。
【手続補正１２】
【補正対象書類名】明細書
【補正対象項目名】００６０
【補正方法】削除
【補正の内容】
【手続補正１３】
【補正対象書類名】明細書
【補正対象項目名】００６１
【補正方法】変更
【補正の内容】
【００６１】
本発明背面投写型映像表示装置は、映像光源から出射された映像光を投写手段を介して拡大表示する背面投写型映像表示装置であって、投写手段によって投写された映像光を透過させて結像させる背面投写型スクリーンを備え、背面投写型スクリーンを透明材料から成り少なくとも一方の面に微細形状のレンズが形成された２つのシート状部材をそれぞれのレンズが形成された面が互いに対向するように配置することによって構成し、映像光を透過させて結像させるための領域である有効画面領域内の周辺部において２つのシート状部材の互いに対向したレンズの間に複数のスペーサ部材を適宜な間隔で配置したことを特徴とする。


【手続補正１４】
【補正対象書類名】明細書
【補正対象項目名】００６２
【補正方法】変更
【補正の内容】
【００６２】
したがって、本発明背面投写型スクリーンにあっては、複数のスペーサ部材が２つのシート状部材の互いに対向したレンズの間に位置することによって、２つのシート状部材の互いに対向したレンズの間の間隔をスペーサ部材の大きさと略同じ間隔に保つことができるので、レンズ同士が接触することがなく、レンズ同士の接触による傷付きやレンズ素子の変形を防止して高画質な映像を得ることができる。また、スペーサ部材が有効画面領域内の周辺部に配置されているので、スペーサ部材の存在をより目立たなくすることができる。
【手続補正１５】
【補正対象書類名】明細書
【補正対象項目名】００６３
【補正方法】変更
【補正の内容】
【００６３】
請求項８に記載した発明にあっては、２つのシート状部材が、少なくとも一方の面にレンチキュラーレンズが形成されたレンチキュラーレンズシートと、一方の面にフレネルレンズが形成されたフレネルレンズシートとであるので、一の方向、例えば、水平方向で画面に表示された映像を正常に認識できる範囲を大きくすることができる。


【手続補正１６】
【補正対象書類名】明細書
【補正対象項目名】００６４
【補正方法】変更
【補正の内容】
【００６４】
請求項９に記載した発明にあっては、２つのシート状部材が、一方の面に複眼レンズが形成された複眼レンズシートと、一方の面にフレネルレンズが形成されたフレネルレンズシートとであるので、全方向で画面に表示された映像を正常に認識できる範囲を大きくすることができると共に、表示される映像を立体的に表示することもできる。


【手続補正１７】
【補正対象書類名】明細書
【補正対象項目名】００６５
【補正方法】変更
【補正の内容】
【００６５】
請求項１０に記載した発明にあっては、スペーサ部材を２つのシート状部材のレンズの互いに対向したレンズ素子の頂点と頂点との間に位置させるようにしたので、２つのシート状部材の互いに対向したレンズの間の間隔をスペーサ部材の大きさと略同じ間隔に保つことができ、レンズ同士が接触することによる傷付きや変形を防止して高画質な映像を得ることができる。


【手続補正１８】
【補正対象書類名】明細書
【補正対象項目名】００６６
【補正方法】変更
【補正の内容】
【００６６】
請求項１１に記載した発明にあっては、スペーサ部材を一方のシート状部材のレンズと一体に形成したので、シート状部材のレンズの形状の設計内容にスペーサ部材の配置箇所も含めておくことによって、光学的な影響もなくしかも効果的な箇所にスペーサ部材を配置することができ、また、スペーサ部材を後から配設する手間をなくすことができる。


【手続補正１９】
【補正対象書類名】明細書
【補正対象項目名】００６７
【補正方法】変更
【補正の内容】
【００６７】
請求項１２に記載した発明にあっては、スペーサ部材を縦、横、高さが１ｍｍ以下の直方体領域の中に収まる大きさに形成したので、スペーサ部材の存在を目立たなくすることができると共に、スペーサ部材による光学的な影響も排除することができる。


【手続補正２０】
【補正対象書類名】明細書
【補正対象項目名】００６８
【補正方法】削除
【補正の内容】